(57)【特許請求の範囲】
【請求項１】
複数枚の枚葉紙を置くためのテーブル面と、
複数枚の枚葉紙を一度に衝突させて複数枚の枚葉紙の端を揃えるための、前記テーブル面に設けられた衝突停止部材と、
前記テーブル面に垂直な方向から見たとき前記衝突停止部材に対する複数枚の枚葉紙の衝突方向と平行な方向に延びていて、前記テーブル面の上の複数枚の枚葉紙を部分的に支持して前記衝突停止部材に対する複数枚の枚葉紙の衝突方向と垂直な面内で複数枚の枚葉紙を湾曲させるための押上げバーと、
前記押上げバーに支持された複数枚の枚葉紙の端部を突き飛ばして複数枚の枚葉紙を一度に前記衝突停止部材に衝突させるための枚葉紙突出し部と、
を有することを特徴とする枚葉紙揃え装置。
【請求項２】
前記押上げバーを振動させるようにしたことを特徴とする、請求項１に記載の枚葉紙揃え装置。
【請求項３】
前記押上バーに支持された複数枚の枚葉紙の端部に向けてエアを吹き出すエアノズルを備えていることを特徴とする、請求項２に記載の枚葉紙揃え装置。
【請求項４】
前記押上げバーは、前記衝突停止部材に近づくにつれて前記テーブル面に近づくように傾斜していることを特徴とする、請求項２に記載の枚葉紙揃え装置。
【請求項５】
前記押上げバーは、前記テーブル面の下方と前記テーブル面の上方との間で昇降可能になっていることを特徴とする、請求項２に記載の枚葉紙揃え装置。
【請求項６】
前記衝突停止部材は、枚葉紙の衝突方向に移動可能となっていることを特徴とする、請求項１に記載の枚葉紙揃え装置。
【請求項７】
前記テーブル面は、枚葉紙が前記衝突停止部材に向けて突き出される方向に向けて下り傾斜していることを特徴とする、請求項１に記載の枚葉紙揃え装置。
【請求項８】
前記テーブル面の側面に設けた、枚葉紙の衝突方向と直交する方向の一方側面を当てて枚葉紙を揃えるためのスケール部と、
枚葉紙の衝突方向と直交する方向における枚葉紙の他方側面を押さえて枚葉紙の他方側面を揃えるためのジョガーと、
を有することを特徴とする、請求項１に記載の枚葉紙揃え装置。
【請求項９】
前記衝突停止部材の表面が、弾性を有することを特徴とする、請求項１に記載の枚葉紙揃え装置。
【請求項１０】
枚葉紙の衝突方向に沿って枚葉紙を部分的に押さえる枚葉紙押さえ部材を有することを特徴とする、請求項１に記載の枚葉紙揃え装置。
【請求項１１】
前記押上げバーに対向させて前記押上げバーの上方に浮上り防止バーを設けたことを特徴とする、請求項１に記載の枚葉紙揃え装置。
【請求項１２】
請求項１から１１のうちいずれか１項に記載された枚葉紙揃え装置を備えたカレンダー製造装置。
【発明の詳細な説明】
【技術分野】
【０００１】
本発明は、積み重ねられた複数枚の枚葉紙を揃えるための枚葉紙揃え装置に関する。
【背景技術】
【０００２】
重ねた複数枚の枚葉紙を揃える方法としては、一対のジョガーによって両側から枚葉紙を挟んで揃える方法が一般的である。このような方式の枚葉紙揃え装置（用紙揃え装置）としては、例えば特許文献１に開示されたものがある。
【０００３】
しかし、場合によっては、寸法や厚みの異なる複数枚の枚葉紙を揃えなければならない場合がある。たとえば、近年においては、図１に示すように、日付や曜日を印刷したカレンダー紙１２に風景などを写真印刷したフィルム１３を重ね、綴じ枠１４で綴じたカレンダー１１が提供されている。このようなカレンダー１１では、カレンダー紙１２の日付や曜日の印刷領域を隠さないよう、フィルム１３の長さはカレンダー紙１２の長さよりも短くなっている。
【０００４】
このカレンダーのような場合には、長さの長いカレンダー紙１２と長さの短いフィルム１３の端を揃える必要がある。しかし、長さの異なる枚葉紙が重ねられている場合には、長さ方向の両側からジョガーで挟んでも、長さの長い枚葉紙（カレンダー紙１２）しか揃えることができず、長さの短い枚葉紙（フィルム１３）を揃えることはできない。
【０００５】
また、厚みの異なる枚葉紙を揃える場合も、厚みの薄い枚葉紙が折れたり、しわが寄ったりするため、揃えるのが困難であった。
【先行技術文献】
【特許文献】
【０００６】
【特許文献１】特開２００９−１９６７６２号公報
【発明の概要】
【発明が解決しようとする課題】
【０００７】
本発明は、上記のような従来的背景に鑑みてなされたものであり、その目的とするところは、寸法や厚みの異なる複数枚の枚葉紙を揃えることのできる枚葉紙揃え装置を提供することにある。
【課題を解決するための手段】
【０００８】
本発明に係る枚葉紙揃え装置は、複数枚の枚葉紙を置くためのテーブル面と、複数枚の枚葉紙を一度に衝突させて複数枚の枚葉紙の端を揃えるための、前記テーブル面に設けられた衝突停止部材と、前記テーブル面に垂直な方向から見たとき前記衝突停止部材に対する複数枚の枚葉紙の衝突方向と平行な方向に延びていて、前記テーブル面の上の複数枚の枚葉紙を部分的に支持して前記衝突停止部材に対する複数枚の枚葉紙の衝突方向と垂直な面内で複数枚の枚葉紙を湾曲させるための押上げバーと、前記押上げバーに支持された複数枚の枚葉紙の端部を突き飛ばして複数枚の枚葉紙を一度に前記衝突停止部材に衝突させるための枚葉紙突出し部とを有することを特徴としている。
【０００９】
本発明に係る枚葉紙揃え装置によれば、押上げバーで支持された複数枚の枚葉紙を衝突停止部材に衝突させることで枚葉紙の端を揃えることができるので、寸法の異なる（衝突方向における長さの異なる）複数枚の枚葉紙や厚みの異なる複数枚の枚葉紙を一度に揃えることが可能になる。
【００１０】
さらに、本発明に係る枚葉紙揃え装置では、衝突停止部材に対する複数枚の枚葉紙の衝突方向と平行な方向に延びた押上げバーで複数枚の枚葉紙を部分的に支持して複数枚の枚葉紙を衝突停止部材に対する複数枚の枚葉紙の衝突方向と垂直な面内で湾曲させておき、枚葉紙突出し部によって押上げバーに支持された複数枚の枚葉紙を衝突停止部材に衝突させているので、複数枚の枚葉紙を衝突停止部材に衝突させたときに枚葉紙の端が曲がったり、まくれ上がったりするのを防止することができ、枚葉紙の紙揃えをより確実に行える。
【００１１】
枚葉紙を湾曲させる一つの方法としては、前記押上げバーをテーブル面の下方とテーブル面の上方との間で昇降可能にしておき、押上げバーを上昇させ、前記テーブル面の上の枚葉紙を押上げバーにより部分的に押し上げて湾曲させればよい。また、押上げバーは、前記衝突停止部材に近づくにつれて前記テーブル面に近づくように傾斜していることが好ましい。かかる押上げバーによれば、押上げバーにより支持された複数枚の枚葉紙を衝突停止部材に衝突させる際により勢いよく衝突させることができる。
【００１２】
また、上記押上げバーを振動させるようにしてもよい。押上げバーを振動可能にしてあれば、押上げバーを振動させることにより枚葉紙間に隙間を生じさせて枚葉紙間の摩擦抵抗を小さくすることができる。よって、押上げバーを振動させながら枚葉紙突出し部により枚葉紙を衝突停止部材に衝突させることにより、枚葉紙を揃えやすくなる。また、下記の実施態様のように枚葉紙の端部にエアを吹き付ける場合、押上げバーを振動させながらエアを吹き付けることにより枚葉紙間にエアを確実に吹き込むことができる。
【００１４】
本発明に係る枚葉紙揃え装置の別な実施態様は、前記衝突停止部材が、枚葉紙の衝突方向に移動可能となっていることを特徴としている。かかる実施態様によれば、衝突停止部材で枚葉紙を押し動かした後、衝突停止部材を後退させれば、衝突停止部材と枚葉紙の端との間に、枚葉紙を衝突させるための空隙を確実に形成することができる。
【００１５】
本発明に係る枚葉紙揃え装置のさらに別な実施態様は、前記押上バーに支持された複数枚の枚葉紙の端部に向けてエアを吹き出すエアノズルを備えたことを特徴としている。この実施態様によれば、エアノズルから枚葉紙間にエアを送ることができ、枚葉紙どうしの間の摩擦抵抗や静電引力を軽減することができ、枚葉紙どうしが滑りやすくなるので、衝突によって枚葉紙を揃えやすくなる。
【００１６】
本発明に係る枚葉紙揃え装置のさらに別な実施態様は、前記テーブル面が、枚葉紙が前記衝突停止部材に向けて突き出される方向に向けて下り傾斜したことを特徴としている。かかる実施態様によれば、衝突停止部材に衝突させる枚葉紙に勢いをつけやすくなる。
【００１７】
本発明に係る枚葉紙揃え装置のさらに別な実施態様は、前記テーブル面の側面に設けた、枚葉紙の衝突方向と直交する方向の一方側面を当てて枚葉紙を揃えるためのスケール部と、枚葉紙の衝突方向と直交する方向における枚葉紙の他方側面を押さえて枚葉紙の他方側面を揃えるためのジョガーとを有することを特徴としている。かかる実施態様によれば、枚葉紙を長さ方向と幅方向との双方で揃えることができる。
【００１８】
本発明に係る枚葉紙揃え装置のさらに別な実施態様は、前記衝突停止部材の表面が、弾性を有することを特徴としている。このためには、たとえば衝突停止部材の表面に弾性を有するシートを貼っておけばよい。衝突停止部材の表面が弾性を有していれば、枚葉紙が衝突停止部材に衝突したときに枚葉紙が衝突停止部材で跳ね返ってばらけるのを防ぐことができる。
【００１９】
本発明に係る枚葉紙揃え装置のさらに別な実施態様は、枚葉紙の衝突方向に沿って枚葉紙を部分的に押さえる枚葉紙押さえ部材を有することを特徴としている。かかる実施態様によれば、枚葉紙が枚葉紙押さえ部材によって押さえられているので、枚葉紙を揃える工程において枚葉紙がばらけたり、揃えた後の枚葉紙がばらけたりするのを防ぐことができる。
【００２０】
本発明に係る枚葉紙揃え装置のさらに別な実施態様は、前記押上げバーに対向させて前記押上げバーの上方に浮上り防止バーを設けたことを特徴としている。かかる実施態様によれば、押上げバーに対向させて浮上り防止バーを設けることにより、押上げバーを上昇させて枚葉紙を湾曲させたとき、その勢いで枚葉紙がテーブル面から脱落するのを防ぐことができる。
【００２１】
本発明に係る枚葉紙揃え装置は、カレンダー製造装置の一部として用いることが可能である。
【００２２】
なお、本発明における前記課題を解決するための手段は、以上説明した構成要素を適宜組み合せた特徴を有するものであり、本発明はかかる構成要素の組合せによる多くのバリエーションを可能とするものである。
【図面の簡単な説明】
【００２３】
【図１】図１は、カレンダーの一例を示す斜視図である。
【図２】図２は、本発明の一実施形態によるカレンダー製造装置の概略平面図である。
【図３】図３は、本発明の一実施形態による枚葉紙供給装置を複数台備えたストッカーを示す概略側面図である。
【図４】図４は、図３に示す枚葉紙供給装置の一部破断した斜視図である。
【図５】図５（Ａ）及び図５（Ｂ）は、図３に示した枚葉紙供給装置の動作説明図である。
【図６】図６（Ａ）及び図６（Ｂ）は、図５（Ｂ）の続図である。
【図７】図７（Ａ）及び図７（Ｂ）は、図６（Ｂ）の続図である。
【図８】図８（Ａ）及び図８（Ｂ）は、図７（Ｂ）の続図である。
【図９】図９（Ａ）及び図９（Ｂ）は、図８（Ｂ）の続図である。
【図１０】図１０（Ａ）は、エア吹出し部から吹き出されるエアの強さの変化を示す図である。図１０（Ｂ）は、エア吹出し部から間欠的に吹き出されるエアの強さの変化を示す図である。
【図１１】図１１は、供給されたカレンダー冊子を揃えるための冊子揃え装置を示す斜視図である。
【図１２】図１２（Ａ）及び図１２（Ｂ）は、図１１に示した冊子揃え装置の概略側面図である。
【図１３】図１３（Ａ）及び図１３（Ｂ）は、図１１に示す冊子揃え装置においてカレンダー冊子の縦方向の紙揃えを行う工程を示す図である。
【図１４】図１４（Ａ）及び図１４（Ｂ）は、図１３（Ｂ）の続図である。
【図１５】図１５（Ａ）及び図１５（Ｂ）は、図１４（Ｂ）の続図である。
【図１６】図１６は、図１５（Ｂ）の続図である。
【図１７】図１７は、図１４（Ａ）に対応する状態における冊子揃え装置の斜視図である。
【図１８】図１８（Ａ）は、図１４（Ａ）に対応する状態における冊子揃え装置の背面図である。図１８（Ｂ）は、図１４（Ｂ）に対応する状態における冊子揃え装置の背面図である。図１８（Ｃ）は、図１５（Ｂ）に対応する状態における冊子揃え装置の背面図である。
【図１９】図１９（Ａ）及び図１９（Ｂ）は、比較例の冊子揃え装置によりカレンダー冊子を揃える様子を示す概略図である。
【図２０】図２０（Ａ）及び図２０（Ｂ）は、紙揃え用のチャックを示す正面図である。図２０（Ｃ）は、冊子押さえを示す斜視図である。
【図２１】図２１（Ａ）、図２１（Ｂ）及び図２１（Ｃ）は、図１１に示す冊子揃え装置によりカレンダー冊子の幅方向における紙揃えを行う工程を示す図である。
【図２２】図２２（Ａ）、図２２（Ｂ）及び図２２（Ｃ）は、冊子取り出し部における紙揃えの動作を説明する図である。
【図２３】図２３は、冊子取り出し部に設けた検査器の側面図である。
【図２４】図２４（Ａ）及び図２４（Ｂ）は、パンチプレス装置に設けたパンチングユニットの動作説明図である。
【図２５】図２５（Ａ）〜図２５（Ｅ）は、綴じ枠供給装置において綴じ枠を作製する工程を説明する斜視図である。
【図２６】図２６（Ａ）及び図２６（Ｂ）は、綴じ枠取付け装置の接着剤塗布ユニットによってカレンダー冊子に接着剤を塗布する工程を示す概略図である。図２６（Ｃ）は、綴じ枠取付け装置の綴じ枠折り畳みユニットによって綴じ枠を二つ折りに折り畳む動作を示す概略図である。
【図２７】図２７（Ａ）及び図２７（Ｂ）は、綴じ枠取付け装置により綴じ枠をカレンダー冊子に圧着させる工程を示す概略図である。
【図２８】図２８は、冊子揃え装置の他例を示す概略図である。
【図２９】図２９（Ａ）は、冊子揃え装置のさらに他例を示す概略図である。図２９（Ｂ）は、冊子揃え装置のさらに他例を示す概略図である。
【発明を実施するための形態】
【００２４】
以下、添付図面を参照しながら本発明の好適な実施形態を説明する。但し、本発明は以下の実施形態に限定されるものでなく、本発明の要旨を逸脱しない範囲において種々設計変更することができる。
【００２５】
（実施形態１）
以下、本発明の一実施形態による枚葉紙供給装置を用いたカレンダー製造装置を説明する。図１は、製造しようとするカレンダーの一例を示す斜視図である。このカレンダー１１は、日付や曜日を印刷した月毎のカレンダー紙１２に風景などを写真印刷した樹脂製フィルム１３を重ねたものである。そのカレンダー冊子１５は、複数枚（例えば１２枚）のカレンダー紙１２と複数枚（例えば１２枚）のフィルム１３と１枚の表紙とからなる。フィルム１３は、カレンダー紙１２と同じ幅を有しているが、カレンダー紙１２の長さよりも短くなっている。フィルム１３をカレンダー紙１２の無地の部分にのみ重ね、カレンダー紙１２の日付等を印刷された部分を覆い隠さないようにするためである。カレンダー冊子１５の端部は綴じ枠１４で綴じられている。綴じ枠１４には吊下用孔１６があけられており、綴じ枠１４の縁においてカレンダー冊子１５にはミシン目１７が設けられている。
【００２６】
図２は、上記カレンダー１１を製造するためのカレンダー製造装置２１を示す概略平面図である。カレンダー製造装置２１は、主としてストッカー２２及び２３、搬送コンベア２４、冊子揃え装置２５（枚葉紙揃え装置）、冊子取り出し装置２６、パンチプレス装置２７、綴じ枠供給装置２８、綴じ枠取り付け装置２９、孔明け装置３０、搬出テーブル装置３４からなり、これら各装置は平面視で略Ｌ字状に配置されている。
【００２７】
（ストッカーの構造）
ストッカー２２及び２３は、印刷済みのカレンダー紙１２、フィルム１３及び表紙１８をそれぞれ個別に積み重ねて収納する。図３に示すように、ストッカー２２、２３は、それぞれ複数台の枚葉紙供給装置３１を積み重ねて構成されている。図示例では、２基のストッカーを前後に並べて配置しているが、３基以上のストッカーを前後に並べていてもよく、１基のストッカーにすべての枚葉紙供給装置３１を積み重ねていてもよい。各ストッカー２２、２３の前面には、枚葉紙３３（カレンダー紙、フィルム及び表紙を総称して枚葉紙という。）を搬送コンベア２４へ送るための縦搬送部５１を設けている。
【００２８】
図４は１台の枚葉紙供給装置３１の構造を示す一部破断した斜視図である。枚葉紙供給装置３１は、枚葉紙３３すなわちカレンダー紙１２、フィルム１３、表紙１８を収納するためのテーブル３２を有している。テーブル３２の両側面には、枚葉紙をその幅方向で位置決めするためのガイド３５を設けている。ガイド３５の位置は、枚葉紙３３の幅に合わせて調整可能となっている。また、テーブル３２の前端部近傍においてテーブル３２の上方には、枚葉紙押え３６を配置している。枚葉紙押え３６は、テーブル３２の幅方向に沿って延びている。枚葉紙押え３６の一端はリンク３７によって支持されており、リンク３７が回動することによって上下可能となっている。枚葉紙押え３６は、鋼製の丸棒によって形成されており、表面は滑らかに加工されている。
【００２９】
枚葉紙供給装置３１は、枚葉紙吸着装置３８を備えている。枚葉紙吸着装置３８は、駆動機構部３９によって回動及び平行移動するシャフト４０に、複数の枚葉紙めくり上げ器４１を取り付けて構成されている。枚葉紙めくり上げ器４１は、その下面にゴム製の吸着パッド４２を有しており、吸着パッド４２の下面はシャフト４０内の空洞部を通じて減圧可能となっている。
【００３０】
枚葉紙送り出し位置の下方には、エア吹出し部４４を設けている。パイプ状をしたエア吹出し部４４には、多数のエア吹出し孔４５が開口しており、エア供給ホース４６を通じて送られたエアは、エア吹出し孔４５から斜め上方へ向けて吹き出される。エア供給ホース４６には、エア吹出し孔４５から吹き出すエアの強さを変化させるためのエア強さ調整器４７を設けている。このエア吹出し部４４、エア供給ホース４６及びエア吹出し部４４によって振動付与装置が構成されている。
【００３１】
また、エア吹出し部４４の下方には、エア吐出部５６を設けている。パイプ状をしたエア吐出部５６には、エア吐出孔５７が開口しており、エア供給ホース５８を通じて送られたエアは、エア吐出孔５７からテーブル３２の上面に向けて水平方向へ吹き出される。
【００３２】
テーブル３２の前端部近傍には、複数個の捌き爪４９と複数個の押さえ爪５０を設けている。捌き爪４９は、テーブル３２の上に置かれた枚葉紙３３の端に引っ掛けて枚葉紙３３を捌くものであり、板バネを折り曲げて形成されている。押さえ爪５０は、枚葉紙保持部となるものであって、テーブル３２の上に置かれた枚葉紙３３の端部を押さえて保持できる。図示例では、押さえ爪５０も板バネを折り曲げて形成されている。捌き爪４９と押さえ爪５０は、それぞれアクチュエータ（図示せず）により、独立して前後及び上下に移動可能となっている。
【００３３】
さらに、枚葉紙供給装置３１の枚葉紙送り出し位置には、枚葉紙３３を送り出すための一組のローラ４８ａ、４８ｂを設けている。
【００３４】
縦搬送部５１は、上下のローラ５２ａ、５２ｂ間に掛け回したベルト５３と複数の送りローラ５４からなる（図９（Ｂ）参照）。各送りローラ５４は、各枚葉紙供給装置３１の枚葉紙送り出し位置の外部に設けられ、ベルト５３は最上段の枚葉紙供給装置３１から最下段の枚葉紙供給装置３１まで延びている。また、送りローラ５４を設けた位置では、ベルト５３の背面にバックプレート５５を設けてベルト５３の撓みを防いでいる。
【００３５】
搬送コンベア２４は、例えばベルトコンベアであって、ストッカー２２、２３の下面から冊子揃え装置２５へ枚葉紙を搬送するように構成されている。
【００３６】
図５（Ａ）、図５（Ｂ）、図６（Ａ）、図６（Ｂ）、図７（Ａ）、図７（Ｂ）、図８（Ａ）、図８（Ｂ）、図９（Ａ）及び図９（Ｂ）は、上記枚葉紙供給装置３１から枚葉紙３３（カレンダー紙１２、フィルム１３、表紙１８）を一枚ずつ送り出す様子を示す。図５（Ａ）は、枚葉紙３３を送り出し終えた直後の様子を示す。枚葉紙３３を送り出し終えると、図５（Ｂ）に示すように、枚葉紙吸着装置３８が下降し、テーブル３２の上の１番上の枚葉紙３３を吸着パッド４２によって吸着する。このとき、押さえ爪５０は前方へ後退しており、捌き爪４９は枚葉紙３３の端の上面に引っ掛けられている。なお、枚葉紙押え３６は、自重によって１番上の枚葉紙３３の前端部を押さえている。
【００３７】
ついで、図６（Ａ）に示すように、エア吐出部５６のエア吐出孔５７から枚葉紙３３の端面に向けてエアを吹き出し、枚葉紙吸着装置３８が上昇して１番上の枚葉紙３３の前端部を持ち上げる。枚葉紙３３の端には捌き爪４９が引っ掛けられているので、静電気などによって複数枚の枚葉紙３３が持ち上げられた場合でも、持ち上げられた枚葉紙３３はその端を捌き爪４９によってパラパラと捌かれ、捌かれた枚葉紙３３と枚葉紙３３の中にエアが吹き込まれる。その結果、静電気などによって１番上の枚葉紙３３にくっついて持ち上げられようとした枚葉紙３３はその上の枚葉紙３３から強制的に剥離される。
【００３８】
１番上の枚葉紙３３の前端部が持ち上げられると、図６（Ｂ）に示すように、押さえ爪５０がテーブル３２の上の枚葉紙３３の前端部をしっかりと押さえて保持する。押さえ爪５０で枚葉紙３３の前端部を押さえているのは、後述のようにエア吹出し部４４からエアを吹き出したときにテーブル３２の上に残っている枚葉紙３３がエアによってまくれ上がらないようにするためである。
【００３９】
ついで、図７（Ａ）に示すように、エア吹出し部４４のエア吹出し孔４５からエアを吹き出す。エア吹出し孔４５から吹き出すエアは、エア強さ調整器４７によってその強さが変化している。例えば、図１０（Ａ）に示すように規則的にエアの吹き出す強さが変化してもよく、ランダムにエアの吹き出す強さが変化してもよく、図１０（Ｂ）のようにエアが間欠的に吹き出すようにしてもよい。また、エア吹出し部４４は、枚葉紙吸着装置３８よりも低い位置から上方ないし斜め上方へ向けてエアを吹き出すようになっていて、枚葉紙吸着装置３８に吸着された枚葉紙３３の下面にエアを吹き付ける。したがって、捌き爪４９とエア吐出部５６では剥がしきれず、図７（Ａ）のように１番上の枚葉紙３３の下面に２番目の枚葉紙３３がくっついて持ち上げられた場合でも、２枚目の枚葉紙３３の下面にエアが吹き付けられ、しかもエアの吹き出す強さが変化することによって２枚目の枚葉紙３３がはためくように強制的に振動させられる。この結果、図７（Ｂ）に示すように、１枚目の枚葉紙３３の下にくっついていた２枚目の枚葉紙３３が１枚目の枚葉紙３３から剥がれ落ちる。
【００４０】
フィルム１３のような枚葉紙３３では静電気によって複数枚の枚葉紙３３がくっついて持ち上げられやすいが、そのような場合でも本装置によれば枚葉紙吸着装置３８で確実に枚葉紙３３を一枚ずつめくり取ることができる。
【００４１】
エア吹出し部４４のエアが停止した後は、図８（Ａ）及び図８（Ｂ）に示すように、押さえ爪５０によってテーブル３２の上の枚葉紙３３を押さえ直すようにしてもよい。
【００４２】
枚葉紙３３が枚葉紙吸着装置３８によって一枚だけ分離してめくり上げられると、図９（Ａ）に示すように、枚葉紙吸着装置３８は枚葉紙３３の前端をローラ４８ａ、４８ｂ間へ挿入する。枚葉紙吸着装置３８によって運ばれた枚葉紙３３がローラ４８ａ、４８ｂによって掴まれると、枚葉紙３３は枚葉紙供給装置３１から一枚だけ送り出される。枚葉紙供給装置３１から送り出された枚葉紙３３は、図９（Ｂ）に示すように、送りローラ５４とベルト５３の間に送られ、縦搬送部５１によって下方へ搬送される。１枚の枚葉紙３３を送りだすと、押さえ爪５０は前方へ後退し、捌き爪４９はテーブル３２の上の枚葉紙３３の端部を押さえなおす。
【００４３】
こうして、それぞれの枚葉紙供給装置３１からは、１２ヵ月分のカレンダー紙１２とそのフィルム１３及び表紙１８が順次送り出され、重ね合わされてカレンダー冊子１５として縦搬送部５１から搬送コンベア２４へ送られる。
【００４４】
図示例でいえば、ストッカー２２では、最上段の枚葉紙供給装置３１から縦搬送部５１へ７月のフィルム１３が送り出され、上から２段目の枚葉紙供給装置３１から縦搬送部５１へ７月のカレンダー紙１２が送り出されて縦搬送部５１内で７月のフィルム１３に重ねられる。さらに、３段目の枚葉紙供給装置３１から縦搬送部５１へ８月のフィルム１３が送り出されて縦搬送部５１内で７月のカレンダー紙１２に重ねられ、４段目の枚葉紙供給装置３１から縦搬送部５１へ８月のカレンダー紙１２が送り出されて縦搬送部５１内で８月のフィルム１３に重ねられる。５段目以降の枚葉紙供給装置３１でも同様にフィルム１３又はカレンダー紙１２が送りだされ、ストッカー２２の縦搬送部５１では７〜１２月分のカレンダー冊子が重ね合わされて搬送コンベア２４へ送り出される。
【００４５】
また、ストッカー２３では、最上段の枚葉紙供給装置３１から縦搬送部５１へ表紙１８が送り出される。さらに、上から２段目の枚葉紙供給装置３１から縦搬送部５１へ１月のフィルム１３が送り出されて縦搬送部５１内で表紙１８に重ねられ、３段目の枚葉紙供給装置３１から縦搬送部５１へ１月のカレンダー紙１２が送り出されて縦搬送部５１内で１月のフィルム１３に重ねられる。４段目以降の枚葉紙供給装置３１でも同様にフィルム１３又はカレンダー紙１２が送りだされ、ストッカー２３の縦搬送部５１では表紙１８と１〜６月分のカレンダー冊子が重ね合わされる。ストッカー２３の縦搬送部５１内で重ねられた表紙１８及び１〜６月分のカレンダー冊子は搬送コンベア２４へ送り出され、ストッカー２２から搬送コンベア２４へ送られた７〜１２月分のカレンダー冊子に重ねられる。こうして搬送コンベア２４の上で重ねられた一年分のカレンダー冊子１５は、搬送コンベア２４によって冊子揃え装置２５へ送られる。
【００４６】
（冊子揃え装置の構造）
図１１は、冊子揃え装置２５を示す斜視図である。図１２（Ａ）は、冊子揃え装置２５の概略左側面図であり、図１２（Ｂ）は、冊子揃え装置２５の概略右側面図である。冊子揃え装置２５は、テーブル６１を備えており、後端部よりも前端部で低くなるように傾斜した状態で設置されている。冊子揃え装置２５の傾きは、側面のハンドル７３を回すことによって調整することができる。テーブル６１の上面（テーブル面）の両側部には、テーブル６１の上に送り込まれたカレンダー冊子１５の両側部を押さえるための冊子押さえ６４（枚葉紙押さえ部材）を設けている。冊子押さえ６４は、薄いバネ材によってベルト状に形成されている。冊子押さえ６４の表面及び角は、カレンダー冊子１５に疵をつけないよう、滑らかに加工している。
【００４７】
テーブル６１の一方側面には、カレンダー冊子１５をその幅方向で揃えるための幅方向スケール６５（スケール部）が突設されている。また、テーブル６１の上面前部には、カレンダー冊子１５をその長さ方向で揃えるための縦方向スケール６６（衝突停止部材）が設けられている。縦方向スケール６６は、テーブル６１の前端部に設けた縦溝７１に沿って移動可能となっており、テーブル６１の下方に設けたアクチュエータ６７によって縦溝７１に沿って平行移動させることができる。
【００４８】
テーブル６１の中央部には、縦長の開口７４があいており、開口７４では押上げバー７５が昇降するようになっている。すなわち、押上げバー７５はアクチュエータ７６によって昇降可能となっており、押上げバー７５を下降させた場合には、押上げバー７５はテーブル６１の上面よりも下に引っ込んでおり、押上げバー７５を上昇させた場合には、押上げバー７５はテーブル６１の上面よりも上に飛び出る。テーブル６１の上面よりも上に飛び出た押上げバー７５は、縦方向スケール６６に近くなるにしたがってテーブル６１の上面に近くなるように傾斜している。押上げバー７５の上方には、押上げバー７５とほぼ平行となるようにして浮上り防止バー７９を設けている。押上げバー７５は、バイブレータ（図示せず）により微小振動、特に上下方向に微小振動するようになっている。
【００４９】
また、開口７４よりも幅方向スケール６５に近い位置には、第２の開口７７があいており、第２の開口７７からは第２の押上げバー７８が昇降する。第２の押上げバー７８は、押上げバー７５よりも短いものであるが、押上げバー７５と同様な構造を有している。すなわち、第２の押上げバー７８を下降させた場合には、第２の押上げバー７８はテーブル６１の上面よりも下に引っ込んでおり、第２の押上げバー７８を上昇させた場合には、第２の押上げバー７８は少し傾斜した状態でテーブル６１の上面よりも上に飛び出る。第２の押上げバー７８も、押上げバー７５と同様に微小振動するようになっている。押上げバー７５及び第２の押上げバー７８は、後述のように、カレンダー冊子１５の中央部を持ち上げるものであり、押上げバー７５は比較的大きな寸法のカレンダー冊子１５に用いられ、第２の押上げバー７８は比較的小さな寸法のカレンダー冊子１５に用いられる。以下においては、カレンダー冊子１５は比較的大きなものとし、押上げバー７５を用いる場合について説明する。
【００５０】
テーブル６１の上面の後方には、テーブル６１へ枚葉紙３３を送り込むためのベルトコンベア状をした送りコンベア６２が設けられている。また、テーブル６１の後方においては、送りコンベア６２の両側にはそれぞれ冊子突出し器６８（枚葉紙突出し部）が設けられている。冊子突出し器６８は、アクチュエータ６９によってテーブル６１の上面と平行に前後に駆動される。また、テーブル６１の上面後端部には、テーブル６１の上面に向けてエアを吐出させるエアノズル７０を設けている。
【００５１】
しかして、この冊子揃え装置２５においては、図１３〜図１８に示すようにしてカレンダー冊子１５の先端が揃えられる。図１３（Ａ）、図１３（Ｂ）、図１４（Ａ）、図１４（Ｂ）、図１５（Ａ）、図１５（Ｂ）及び図１６は、冊子揃え装置２５によりカレンダー冊子１５の縦方向の紙揃えを行う工程を順次示す概略説明図である。ただし、図１３（Ａ）、図１３（Ｂ）では、冊子突出し器６８、アクチュエータ６９及びエアノズル７０の図示を省略している。また、図１４（Ａ）、図１４（Ｂ）、図１５（Ａ）、図１５（Ｂ）及び図１６では、送りコンベア６２の図示を省略している。図１７は、図１４（Ａ）に対応する状態における冊子揃え装置の概略斜視図である。図１７でも送りコンベア６２の図示を省略している。図１８（Ａ）は、図１４（Ａ）に対応する状態における冊子揃え装置の概略背面図である。図１８（Ｂ）は、図１４（Ｂ）に対応する状態における冊子揃え装置の概略背面図である。図１８（Ｃ）は、図１５（Ｂ）に対応する状態における冊子揃え装置の概略背面図である。
【００５２】
図１３（Ａ）は、冊子揃え装置２５がカレンダー冊子１５を受け取るときの状態を表している。このとき、縦方向スケール６６は前方へ引っ込んでおり、冊子突出し器６８は後退しており、押上げバー７５はテーブル６１の上面よりも上に上昇している。
【００５３】
図１３（Ｂ）は、送りコンベア６２によってテーブル６１の上面にカレンダー冊子１５が送り込まれている状態を表している。搬送コンベア２４から送りコンベア６２へ送られたカレンダー冊子１５は、送りコンベア６２によって押上げバー７５と浮上り防止バー７９の間へ送られる。
【００５４】
テーブル６１の上面へ送られたカレンダー冊子１５は、図１４（Ａ）、図１７及び図１８（Ａ）に示すように、先端が縦方向スケール６６に当たった状態で停止する。こうして、テーブル６１の上面にカレンダー冊子１５が搬入された状態では、カレンダー冊子１５の中央部は前後方向に沿って押上げバー７５によって上方へ持ち上げられており、カレンダー冊子１５の両側部は冊子押さえ６４で押さえられているので、カレンダー冊子１５は、図１７及び図１８（Ａ）に示すように、山成りに曲げられている。また、この状態では、カレンダー冊子１５を構成する各枚葉紙３３は揃っていない。
【００５５】
ついで、図１４（Ｂ）及び図１８（Ｂ）に示すように、アクチュエータ６７によって縦方向スケール６６が後方へ突出し、カレンダー冊子１５の前端を押すことでカレンダー冊子１５を後方へ移動させ、カレンダー冊子１５の後端を冊子突出し器６８に当接させる。このとき、冊子突出し器６８の水平片は、図１８（Ｂ）に示すように、持ち上げられたカレンダー冊子１５の下に入り、冊子突出し器６８の垂直片がカレンダー冊子１５の後端に当接する。
【００５６】
この後、図１５（Ａ）に示すように、縦方向スケール６６は元の位置に戻り、縦方向スケール６６とカレンダー冊子１５の前端との間に適当な距離の間隙が設けられる。
【００５７】
ついで、押上げバー７５を微小振動させるとともにエアノズル７０からエアを吹き出してカレンダー冊子１５の枚葉紙３３間にエアを吹き込むことで枚葉紙３３間の摩擦を小さくする。押上げバー７５を微小振動させ、それにより枚葉紙３３を微小振動させながらエアを吹き付けることにより枚葉紙３３間に隙間をあけてその隙間にエアを吹き込ませることができ、確実に枚葉紙３３間の滑りをよくすることができる。
【００５８】
図１５（Ｂ）に示すように、エアノズル７０からエアを吹き出させるとともに押上げバー７５を微小振動させたままで（押上げバー７５の微小振動を停止させていてもよい。）、アクチュエータ６９は、冊子突出し器６８を一定距離だけ高速で勢いよく突出させることによってカレンダー冊子１５を突き飛ばし、図１８（Ｃ）に示すようにカレンダー冊子１５の前端を縦方向スケール６６に衝突させる。この結果、カレンダー紙１２とフィルム１３のような長さの異なる枚葉紙３３が混在している場合であっても、各枚葉紙３３の前端が縦方向スケール６６に当たって止まることで、各枚葉紙３３の前端が揃えられる。
【００５９】
なお、カレンダー冊子１５の前端が縦方向スケール６６に衝突して枚葉紙３３が縦方向スケール６６から跳ね返るのを防止するため、縦方向スケール６６の衝突面には適度な弾力性を有する弾性シートを貼っておいてもよい。たとえばゴムシートや樹脂シートが好ましい。もっとも、弾性シートが柔軟すぎると枚葉紙３３の紙揃え精度が低下するので、弾性シートは、適度の硬さも備えている必要がある。
【００６０】
上記の工程では、押上げバー７５を上昇させてカレンダー冊子１５を曲げた状態で縦方向スケール６６に衝突させ、カレンダー冊子１５の紙揃えを行った。これに対し、図１９（Ａ）及び図１９（Ｂ）に示す比較例は、押上げバー７５を有していない。この比較例の冊子揃え装置２５Ａでは、カレンダー冊子１５を平らな状態のままで縦方向スケール６６に衝突させてカレンダー冊子１５の前端を揃える。しかし、比較例のような冊子揃え装置２５Ａでは、枚葉紙３３の種類（例えば、薄い枚葉紙や軟らかい枚葉紙）によっては、図１９（Ｂ）に示すように、縦方向スケール６６に衝突した枚葉紙３３の端がまくれ上がり、カレンダー冊子１５の前端が揃わなくなるおそれがある。これに対し、本実施形態の冊子揃え装置２５では、図１８のようにカレンダー冊子１５を山成りに曲げた状態で縦方向スケール６６に衝突させているので、カレンダー冊子１５の端がまくれ上がりにくく、カレンダー冊子１５の紙揃えが確実になる。
【００６１】
ただし、枚葉紙３３の種類（例えば、厚い枚葉紙や硬質の枚葉紙）によっては、図１９（Ｂ）のように端がまくれ上がるおそれがない場合もあるので、そのような場合には、冊子揃え装置２５においても押上げバー７５を引っ込めたままで紙揃えを行うことは可能である。
【００６２】
こうしてカレンダー冊子１５を構成する各枚葉紙３３（カレンダー紙１２、フィルム１３及び表紙１８）の前端が揃えられると、エアノズル７０からのエアの吹き出しを停止するとともに冊子突出し器６８を後退させる。また、図１６に示すように、押上げバー７５を下降させて引っ込め、カレンダー冊子１５を平らに戻し、カレンダー冊子１５の長さ方向における紙揃えを完了する。先端を揃えられたカレンダー冊子１５は、冊子押さえ６４によって保持されている。
【００６３】
（幅方向の揃え）
図２０（Ａ）及び図２０（Ｂ）は、カレンダー冊子１５を幅方向で揃えるとともに揃えたカレンダー冊子１５を冊子取り出し装置２６へ運ぶためのチャック８１を示す正面図である。図２０（Ａ）は爪８２が綴じた状態を示し、図２０（Ｂ）は爪８２が開いた状態を示す。チャック８１は、図２０（Ａ）及び図２０（Ｂ）に示すように、開閉する一対の爪８２を有し、その側面にはカレンダー冊子１５の側面に当ててカレンダー冊子１５を揃えるための垂直で平らなスケール面８３（ジョガー）が形成されている。また、チャック８１は、爪８２の近傍に昇降自在な樹脂製の押さえ８４を備えている。
【００６４】
しかして、チャック８１は、図２１（Ａ）〜図２１（Ｃ）に示すようにしてカレンダー冊子１５を幅方向で揃える。図２１（Ｃ）に示すように、チャック８１は、爪８２を開いた状態でテーブル６１の横溝７２に入り込むことにより、スケール面８３でカレンダー冊子１５の一方側面を押す。さらに、図２１（Ｂ）のように、カレンダー冊子１５の他方側面を幅方向スケール６５に押し付け、幅方向スケール６５の側面とスケール面８３の間にカレンダー冊子１５を挟み込むことによってカレンダー冊子１５を幅方向で揃える。こうしてカレンダー冊子１５を長さ方向及び幅方向で揃え終わると、図２１（Ｃ）のように、押さえ８４が下降してカレンダー冊子１５の縁を押さえ、爪８２が綴じてチャック８１でカレンダー冊子１５の縁を掴む。そして、チャック８１が後退してカレンダー冊子１５を冊子揃え装置２５から冊子取り出し装置２６へ搬送する。
【００６５】
図２２（Ａ）に示すように、冊子取り出し装置２６の上面は冊子揃え装置２５のテーブル上面よりも少し低くなっている。カレンダー冊子１５を冊子取り出し装置２６へ移動させると、図２２（Ｂ）に示すように、チャック８１は爪８２を開いてカレンダー冊子１５を解放し、スケール面８３でカレンダー冊子１５の一方側面を押してカレンダー冊子１５の他方側面を冊子揃え装置２５の側面に押し付け、カレンダー冊子１５をその幅方向で再び揃える。再びカレンダー冊子１５を揃え終わると、図２２（Ｃ）に示すように、押さえ８４で再度カレンダー冊子１５の縁を押さえ、チャック８１の爪８２でカレンダー冊子１５の縁を掴む。
【００６６】
冊子取り出し装置２６は、図２３に示すように、その後部に紙揃え検査器、すなわち厚み計測用のゲージ８５を備えており、カレンダー冊子１５の端部の厚みをゲージ８５で計測することによりカレンダー冊子１５の先端が揃えられているかどうか判定する。そして、カレンダー冊子１５の先端部の厚みが所定値以下であって、カレンダー冊子１５の紙揃えが不良であると判断されると、そのカレンダー冊子１５はカレンダー製造装置２１から排出される。
【００６７】
なお、冊子取り出し装置２６は省略しても差し支えない。
【００６８】
（パンチプレス装置）
冊子取り出し装置２６で検査されたカレンダー冊子１５はパンチプレス装置２７へ送られる。パンチプレス装置２７へ移送されたカレンダー冊子１５は、パンチプレス装置２７によりミシン目１７と接着剤注入孔１９を明けられる。パンチプレス装置２７は、図２４に示すようなパンチングユニット９１を備えている。パンチングユニット９１は昇降自在となっており、パンチングユニット９１の前面にはミシン目カッター９２が固定されている。また、パンチングユニット９１の下面には孔明け治具９３が設けられている。
【００６９】
しかして、パンチプレス装置２７へカレンダー冊子１５が移送されると、図２４（Ａ）のようにパンチングユニット９１が下降し、図２４（Ｂ）のようにミシン目カッター９２がカレンダー冊子１５にミシン目１７を形成する。同時に、孔明け治具９３がカレンダー冊子１５を打ち抜き、カレンダー冊子１５に接着剤注入孔１９を開口する。カレンダー冊子１５にミシン目１７及び接着剤注入孔１９が加工されると、カレンダー冊子１５はチャックなどの搬送手段によって綴じ枠供給装置２８へ移送される。
【００７０】
（綴じ枠供給装置）
綴じ枠供給装置２８は、綴じ枠作製ユニット１００、接着剤塗布ユニット１０８及び綴じ枠折り畳みユニット１０９を備えている。図２５（Ａ）〜図２５（Ｅ）は、綴じ枠作製ユニット１００の構成とその綴じ枠作製工程を示す概略斜視図である。綴じ枠作製ユニット１００には、図２５（Ａ）に示すように複数枚の板紙１０１がストックされており、ストック位置からは板紙１０１が一枚ずつ送り出される。ストック位置から送り出された板紙１０１は、図２５（Ｂ）に示すように、賦形ローラ１０２と賦形ローラ１０３の間を通過して形付けられ、綴じ枠１４が作製される。すなわち、賦形ローラ１０２の外周面には凸リング１０４ａ、１０４ｂが設けられており、賦形ローラ１０３には賦形ローラ１０２の凸リング１０４ａ、１０４ｂに対応して凹リングが形成されている。そして、板紙１０１は、賦形ローラ１０２の凸リング１０４ａとそれに対応する賦形ローラ１０３の凹リングで挟まれることにより、図２５（Ｃ）に示すように、綴じ枠１４を前片１４ａと背片１４ｂとの間で折り曲げるための折り曲げ部１０５が形成される。同時に、板紙１０１は、賦形ローラ１０２の凸リング１０４ｂとそれに対応する賦形ローラ１０３の凹リングで挟まれることにより、リブ１０７が形成される。ついで綴じ枠１４は、図２５（Ｄ）に示すように折り曲げ部１０５をブレード１０６で押さえて曲げられ、図２５（Ｅ）のように略直角に曲げられる。
【００７１】
さらに、綴じ枠供給装置２８は、図２６（Ａ）及び図２６（Ｂ）に示すような接着剤塗布ユニット１０８と、図２６（Ｃ）に示すような綴じ枠折り畳みユニット１０９を備えている。
【００７２】
しかして、綴じ枠供給装置２８へ移送されたカレンダー冊子１５は、揃えた状態で綴じ枠供給装置２８のテーブル１１０の上に置かれる。このとき、カレンダー冊子１５は、図２６（Ａ）に示すように、先端部分が、テーブル１１０の端に設けられた昇降自在な綴じ枠受け１１１の上方へ飛び出るように置かれる。一方、上記のようにして作製された綴じ枠１４は、その背片１４ｂを綴じ枠受け１１１の上に置かれる。ついで、図２６（Ｂ）に示すように、綴じ枠受け１１１が上昇して背片１４ｂがカレンダー冊子１５の先端部分の下面に重ねられる。ついで、接着剤塗布ユニット１０８は、カレンダー冊子１５の接着剤注入孔１９に沿って溶融した状態のホットメルト樹脂などの接着剤１１２を塗布する。ついで、綴じ枠折り畳みユニット１０９が突き出され、図２６（Ｃ）に示すように、綴じ枠１４の前片１４ａがカレンダー冊子１５の上に折り重ねられる。
【００７３】
こうして綴じ枠１４を仮止めされたカレンダー冊子１５は、綴じ枠１４とともに綴じ枠取付け装置２９へ運ばれる。
【００７４】
（綴じ枠取付け装置）
綴じ枠取付け装置２９は、図２７（Ａ）に示すような押圧ユニット、すなわち上下一対の加圧ローラ１２１、１２２によって構成されている。加圧ローラ１２１、１２２は、いずれも複数のローラ１２３にベルト１２４を掛け回したものであり、加圧ローラ１２１、１２２間には綴じ枠１４を仮止めされたカレンダー冊子１５が通過する隙間が形成されている。また、上側の加圧ローラ１２１は昇降可能となっている。
【００７５】
しかして、綴じ枠１４を仮止めされたカレンダー冊子１５が綴じ枠取付け装置２９へ移送されると、上昇していた加圧ローラ１２１が下降し、図２７（Ａ）のように加圧ローラ１２１と加圧ローラ１２２の間に綴じ枠１４とカレンダー冊子１５の端部を挟み込み、接着剤１１２を硬化させることによって綴じ枠１４をカレンダー冊子１５の端部に圧着させる。
【００７６】
こうして、カレンダー冊子１５の端部に綴じ枠１４が取り付けられると、図２７（Ｂ）のように加圧ローラ１２１、１２２のベルト１２４が回転して綴じ枠１４を押圧しながらカレンダー冊子１５を孔明け装置３０へ送り出し、カレンダー冊子１５を孔明け装置３０へ運ぶ。
【００７７】
（孔明け装置）
孔明け装置３０は、図２に示すように、孔明けパンチ１３１を備えている。そして、孔明け装置３０へ運ばれたカレンダー冊子１５は、孔明けパンチ１３１によって図１のように綴じ枠１４とカレンダー冊子１５の端部に吊下用孔１６を穿孔され、カレンダー１１が出来上がる。こうして製造されたカレンダー１１は、コンベア１３２などによって搬出テーブル装置３４へ送られ、搬出テーブル装置３４にストックされる。
【００７８】
（その他の変形例）
以上説明した枚葉紙供給装置３１又は振動付与装置は、適宜設計変更することも可能である。図２８は本発明の変形例を示す概略図である。上記実施形態の冊子揃え装置２５では、図１４に示すように、カレンダー冊子１５の中央部が高くなるようにカレンダー冊子１５を曲げていたが、図２８に示す変形例の冊子揃え装置１５１では複数の押上げバー７５を設け、カレンダー冊子１５の中央部が低くなるようにしている。
【００７９】
図２９（Ａ）は本発明の別な変形例を示す概略図である。この変形例の冊子揃え装置１５２では、テーブル面１５４（テーブル６１の上面）を左右方向の中央部で高くし、テーブル面１５４にカレンダー冊子１５を置くだけでカレンダー冊子１５が曲がるようにしている。ただし、テーブル面１５４が湾曲していると、幅方向の紙揃えができなくなるが、カレンダー冊子１５の幅方向の紙揃えは冊子取り出し装置２６で行えばよい。
【００８０】
図２９（Ｂ）は本発明のさらに別な変形例を示す概略図である。この変形例の冊子揃え装置１５３では、テーブル面１５４を左右方向の中央部で低くなるようにしている。
【００８１】
なお、上記実施形態では、枚葉紙揃え装置をカレンダー製造装置に用いた場合を説明したが、本発明の枚葉紙揃え装置はカレンダー製造装置以外にも使用することができる。
【符号の説明】
【００８２】
１１      カレンダー
１２      カレンダー紙
１３      フィルム
１５      カレンダー冊子
１８      表紙
２１      カレンダー製造装置
２２、２３      ストッカー
２４      搬送コンベア
２５、１５１、１５２、１５３      冊子揃え装置
２６      冊子取り出し装置
３１      枚葉紙供給装置
３３      枚葉紙
５１      縦搬送部
６１      テーブル
６２      送りコンベア
６４      冊子押さえ
６５      幅方向スケール
６６      縦方向スケール
６７      アクチュエータ
６８      冊子突出し器
６９      アクチュエータ
７０      エアノズル
７３      ハンドル
７５      押上げバー
７６      アクチュエータ
７８      第２の押上げバー
７９      浮上り防止バー
８１      チャック
８２      爪
８３      スケール面
８４      押さえ
８５      ゲージ
１５４      テーブル面
【要約】
【課題】寸法の異なる複数枚の枚葉紙の端を揃えることのできる枚葉紙揃え装置を提供する。
【解決手段】冊子揃え装置は、複数枚の枚葉紙を置くためのテーブル６１を有する。テーブル６１の上面（テーブル面）には、枚葉紙３３の端を当接させて揃えるための縦方向スケール６６（衝突停止部材）が設けられている。冊子突出し器６８（枚葉紙突出し部）は、アクチュエータ６９によって駆動され、枚葉紙の後端を突き出してテーブル６１の上面の枚葉紙を縦方向スケール６６に衝突させ、枚葉紙の前端を揃える。
【選択図】図１５【図１】
0005876174.tif 000002
【図２】
0005876174.tif 000003
【図３】
0005876174.tif 000004
【図４】
0005876174.tif 000005
【図５】
0005876174.tif 000006
【図６】
0005876174.tif 000007
【図７】
0005876174.tif 000008
【図８】
0005876174.tif 000009
【図９】
0005876174.tif 000010
【図１０】
0005876174.tif 000011
【図１１】
0005876174.tif 000012
【図１２】
0005876174.tif 000013
【図１３】
0005876174.tif 000014
【図１４】
0005876174.tif 000015
【図１５】
0005876174.tif 000016
【図１６】
0005876174.tif 000017
【図１７】
0005876174.tif 000018
【図１８】
0005876174.tif 000019
【図１９】
0005876174.tif 000020
【図２０】
0005876174.tif 000021
【図２１】
0005876174.tif 000022
【図２２】
0005876174.tif 000023
【図２３】
0005876174.tif 000024
【図２４】
0005876174.tif 000025
【図２５】
0005876174.tif 000026
【図２６】
0005876174.tif 000027
【図２７】
0005876174.tif 000028
【図２８】
0005876174.tif 000029
【図２９】
0005876174.tif 000030